(57)【要約】【課題】バックライトの輝度を上げることなく、屋外などの明るい場所での視認性を向上させる。【解決手段】ＣＰＵ１１は、明度センサ２４からの周囲の明るさを示す出力信号（ＬＶ値）に基づいて、画像表示部１５の色補正を制御する。ＣＰＵ１１は、ＬＶ値が小さい場合（屋内などのあまり明るすぎない環境）には、好ましい色再現性となるよう、通常のように色成分ＲＧＢのうち、色成分Ｇのコントラストを低下させる。一方、ＣＰＵ１１は、ＬＶ値が大きい場合（屋外などの明るすぎて液晶の視認性が悪くなる環境）には、色成分Ｇのコントラストを上げる（等倍）ことで、色補正による輝度低下を抑制し（輝度を上げ）、視認性を向上させる。【選択図】図１
2014062937.tif 000002
【特許請求の範囲】
【請求項１】
表示手段と、
周囲の明るさを検出する検出手段と、
前記検出手段によって検出された周囲の明るさに基づいて、前記表示手段における色補正を行う色補正手段と
を備えることを特徴とする電子機器。
【請求項２】
前記色補正手段は、前記検出手段によって検出された周囲の明るさに基づいて、色成分ＲＧＢのコントラストを調整する
ことを特徴とする請求項１に記載の電子機器。
【請求項３】
前記色補正手段は、前記検出手段によって検出された周囲の明るさに基づいて、前記色成分ＲＧＢのうち、色再現性のためにコントラストが低下させられる色成分Ｇのコントラストを調整する
ことを特徴とする請求項２に記載の電子機器。
【請求項４】
前記色補正手段は、前記検出手段によって検出された周囲の明るさが明るければ明るいほど、前記色成分Ｇのコントラストを上げる
ことを特徴とする請求項３に記載の電子機器。
【請求項５】
前記色補正手段は、前記色成分Ｇのコントラストを上げた程度に応じて、前記色成分ＲＢのコントラストを上げる
ことを特徴とする請求項４に記載の電子機器。
【請求項６】
周囲の明るさを検出するステップと、
前記検出された周囲の明るさに基づいて、表示装置における色補正を行うステップと
を含むことを特徴とする色補正方法。
【請求項７】
表示装置を備える電子機器のコンピュータに、
周囲の明るさを検出する検出機能、
前記検出機能によって検出された周囲の明るさに基づいて、前記表示装置における色補正を行う色補正機能
を実行させることを特徴とするプログラム。
【発明の詳細な説明】
【技術分野】
【０００１】
本発明は、電子機器、色補正方法、及びプログラムに関する。
【背景技術】
【０００２】
従来より、ＬＣＤ（Ｌｉｑｕｉｄ  Ｃｒｙｓｔａｌ  Ｄｉｓｐｌａｙ）などの表示装置を備える電子機器では、白点の色補正のために、色成分ＲＧＢのコントラストを調整しているものがある（例えば特許文献１参照）。色補正を行わないと、黄緑色に色被りするため、色成分Ｇのコントラストを下げる必要がある。
【先行技術文献】
【特許文献】
【０００３】
【特許文献１】特開２００１−１０９４３４号公報
【発明の概要】
【発明が解決しようとする課題】
【０００４】
しかしながら、上記従来技術では、色補正によって、色成分Ｇのコントラストを下げるため、色成分Ｇのレベルが下がってしまい、液晶表示装置全体の輝度が低下する。このため、屋外など、明るい場所では、輝度低下によって、視認性が悪くなるという問題があった。液晶輝度を上げるためには、バックライトの輝度を上げることが考えられるが、消費電力が大きくなるため、バッテリの消費が速まるという問題がある。
【０００５】
そこで本発明は、バックライトの輝度を上げることなく、屋外などの明るい場所での視認性を向上させることができる電子機器、色補正方法、及びプログラムを提供することを目的とする。
【課題を解決するための手段】
【０００６】
この発明は、表示手段と、周囲の明るさを検出する検出手段と、前記検出手段によって検出された周囲の明るさに基づいて、前記表示手段における色補正を行う色補正手段とを備えることを特徴とする電子機器である。
【０００７】
この発明は、周囲の明るさを検出するステップと、前記検出された周囲の明るさに基づいて、表示装置における色補正を行うステップとを含むことを特徴とする色補正方法である。
【０００８】
この発明は、表示装置を備える電子機器のコンピュータに、周囲の明るさを検出する検出機能、前記検出機能によって検出された周囲の明るさに基づいて、前記表示装置における色補正を行う色補正機能を実行させることを特徴とするプログラムである。
【発明の効果】
【０００９】
この発明によれば、バックライトの輝度を上げることなく、屋外などの明るい場所での視認性を向上させることができるという利点が得られる。
【図面の簡単な説明】
【００１０】
【図１】本発明の実施形態によるデジタルカメラ１の構成を示すブロック図である。
【図２】本実施形態によるデジタルカメラ１の動作を説明するためのフローチャートである。
【図３】本実施形態によるデジタルカメラ１において、ＬＶ値に応じて実行する色補正時のコントラスト調整カーブ（１２８基準）を示す概念図である。
【図４】本実施形態によるデジタルカメラ１において、周囲が明るすぎない場合（ＬＶ値が小さい場合）の色補正時のコントラスト調整カーブ（１２８基準）を示している。
【図５】本実施形態によるデジタルカメラ１において、周囲が明るすぎる場合（ＬＶ値が大きい場合）の色補正時のコントラスト調整カーブ（１２８基準）を示している。
【図６】本実施形態による変形例によるデジタルカメラ１において、ＬＶ値が比較的高い場合の色補正時に輝度を上げるとともに、色再現性をより改善する場合での色補正時のコントラスト調整カーブ（１２８基準）を示す概念図である。
【発明を実施するための形態】
【００１１】
以下、本発明の実施の形態を、図面を参照して説明する。
【００１２】
Ａ．実施形態の構成
図１は、本発明の実施形態によるデジタルカメラ１の構成を示すブロック図である。図において、デジタルカメラ１は、撮影レンズ２、レンズ駆動部３、絞り４、ＣＣＤ（Ｃｈａｒｇｅ  Ｃｏｕｐｌｅｄ  Ｄｅｖｉｃｅ）５、ＴＧ（Timing
Generator）６、ユニット回路７、画像処理部８、ＣＰＵ（Ｃｅｎｔｒａｌ  Ｐｒｏｃｅｓｓｉｎｇ  Ｕｎｉｔ）１１、ＤＲＡＭ（Ｄｙｎａｍｉｃ  Ｒａｎｄｏｍ  Ａｃｃｅｓｓ  Ｍｅｍｏｔｙ）１２、メモリ１３、フラッシュメモリ１４、画像表示部１５、キー入力部１６、カードＩ／Ｆ２２、メモリ・カード２３、及び明度センサ２４を備えている。
【００１３】
撮影レンズ２は、フォーカスレンズ、ズームレンズを含み、レンズ駆動部３が接続されている。このレンズ駆動部３は、撮影レンズ２を構成するフォーカスレンズ、ズームレンズをそれぞれ光軸方向に駆動させるモータと、ＣＰＵ１１からの制御信号に従ってフォーカスモータ、ズームモータをそれぞれ駆動させるフォーカスモータドライバ、ズームモータドライバから構成されている。
【００１４】
絞り４は、図示しない駆動回路を含み、駆動回路はＣＰＵ１１から送られてくる制御信号にしたがって絞り４を動作させる。この絞り４は、撮影レンズ２から入ってくる光の量を制御する。また、本実施形態によるデジタルカメラは、図示しない電子シャッター機構を備えており、電子シャッター機構により、ＣＣＤ５に光を当てる時間を制御する。
【００１５】
ＣＣＤ（撮像素子）５は、撮影レンズ２、絞り４、ならびに図示しない電子シャッター機構を介して投影された被写体の光を電気信号に変換し、撮像信号としてユニット回路７に出力する。また、ＣＣＤ５は、ＴＧ６によって生成された所定周波数のタイミング信号に従って駆動される。
【００１６】
ユニット回路７は、ＣＣＤ５から出力される撮像信号を相関二重サンプリングして保持するＣＤＳ（Ｃｏｒｒｅｌａｔｅｄ  Ｄｏｕｂｌｅ  Ｓａｍｐｌｉｎｇ）回路、そのサンプリング後の撮像信号の自動利得調整を行うＡＧＣ（Ａｕｔｏｍａｔｉｃ  Ｇａｉｎ  Ｃｏｎｔｒｏｌ）回路、その自動利得調整後のアナログの撮像信号をデジタル信号に変換するＡ／Ｄ変換器から構成されている。ＣＣＤ５の撮像信号は、ユニット回路７を経てデジタル信号（画像データ）として画像処理部８に送られる。なお、ユニット回路７にはＴＧ６が接続されている。
【００１７】
画像処理部８は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理などを行う。なお、画像処理部８にはＴＧ６が接続されている。
【００１８】
ＣＰＵ１１は、所定のプログラムを実行することにより、デジタルカメラ１の各部を制御する。より具体的には、ＣＰＵ１１は、後述する明度センサ２４からの周囲の明るさを示す出力信号（ＬＶ値）に基づいて、画像表示部１５の色補正を制御する。すなわち、ＣＰＵ１１は、ＬＶ値が小さい場合（屋内などのあまり明るすぎない環境）には、好ましい色再現性となるよう、通常のように色成分ＲＧＢのうち、色成分Ｇのコントラストを低下させる一方、ＬＶ値が大きい場合（屋外などの明るすぎて液晶の視認性が悪くなる環境）では、色成分Ｇのコントラストを上げる（色補正を中断して等倍に戻す）ことで、色補正による輝度低下を抑制し（輝度を上げ）、視認性を向上させる。
【００１９】
ＤＲＡＭ１２は、ＣＣＤ５によって撮影された後、ＣＰＵ１１に送られてきた画像データを一時記憶するバッファメモリとして使用されるとともに、ＣＰＵ１１のワーキングメモリとして使用される。メモリ１３は、ＣＰＵ１１によるデジタルカメラ１の各部の制御に必要なプログラム、及び各部の制御に必要なデータが記録されており、ＣＰＵ１１は、このプログラムにしたがって処理を行う。フラッシュメモリ１４や、メモリ・カード２３は、ＣＣＤ５によって撮影された画像データなどを保存しておく記録媒体である。
【００２０】
画像表示部１５は、カラーＬＣＤとその駆動回路を含み、撮影待機状態にあるときには、ＣＣＤ５によって撮影された被写体をスルー画像として表示し（リアルタイムビュー）、記録画像の再生時には、フラッシュメモリ１４や、メモリ・カード２３から読み出され、伸張された記録画像を表示させる。キー入力部１６は、シャッターＳＷ、ズームＳＷ、モードキー、ＳＥＴキー、十字キー等の複数の操作キーを含み、ユーザのキー操作に応じた操作信号をＣＰＵ１１に出力する。カードＩ／Ｆ２２には、デジタルカメラ１本体の図示しないカードスロットに着脱自在に装着されているメモリ・カード２３が接続されている。明度センサ２４は、周囲の明るさを検出し、ＣＰＵ１１に供給する。
【００２１】
Ｂ．実施形態の動作
次に、上述した実施形態の動作について説明する。
図２は、本実施形態によるデジタルカメラ１の動作を説明するためのフローチャートである。図３、図４、及び図５は、本実施形態によるデジタルカメラ１において、色補正時のコントラスト調整カーブ（１２８基準）を示す概念図である。
【００２２】
まず、ＣＰＵ１１は、各種レンズの初期位置設定などのイニシャライズ処理を行い（ステップＳ１０）、明度センサ２４から明るさを示すＬＶ値を取得する（ステップＳ１２）。次に、ＣＰＵ１１は、取得したＬＶ値に応じて、画像表示部１５における色成分ＲＧＢのコントラストを制御することにより色補正処理を実行し（ステップＳ１４）、ＣＣＤ５から取り込んだ画像をリアルタイムで画像表示部１５に表示するライブビュー表示を開始する（ステップＳ１６）。
【００２３】
この結果、屋内などのあまり明るすぎない環境などの場合、すなわちＬＶ値が小さい場合には、通常のように色成分ＲＧＢのうち、色成分Ｇのコントラストを低下させる。この場合、画像表示部１５全体の輝度は低下するが、色再現性は保たれる。一方、屋外などの明るすぎる環境などの場合、すなわちＬＶ値が大きい場合には、色成分Ｇのコントラストを上げる（等倍）ことで、色補正による輝度低下を抑制し（輝度を上げ）、視認性の低下を防止する。この場合、画像表示部１５全体の輝度が上がるので、視認性の低下を抑えることができるが、色再現性は低下する。
【００２４】
次に、ＣＰＵ１１は、シャッターＳＷが半押しされたか否かを判断する（ステップＳ１８）。該シャッターＳＷの半押しは、合焦指示と同等である。そして、シャッターＳＷが半押しされない場合には（ステップＳ１８のＮＯ）、その他の処理を行い（ステップＳ２０）、図示しないメインルーチンへ進むか、ステップＳ１２に戻る。
【００２５】
一方、シャッターＳＷが半押しされた場合には（ステップＳ１８のＹＥＳ）、近端ポイント、またはＡＦエリアの被写体に合焦するＡＦ処理、及び露出設定処理を行う（ステップＳ２２）。次に、シャッターＳＷがリリースされたか否かを判断し（ステップＳ２４）、この時点で、シャッターＳＷがリリースされた場合には（ステップＳ２４のＹＥＳ）、ステップＳ１２に戻り、上述した処理を繰り返す。
【００２６】
一方、シャッターＳＷがリリースされていない場合には（ステップＳ２４のＮＯ）、シャッターＳＷが全押しされたか否かを判断し（ステップＳ２６）、シャッターＳＷが全押しされていない場合には（ステップＳ２６のＮＯ）、ステップＳ２４に戻る。
【００２７】
一方、シャッターＳＷが全押しされた場合には（ステップＳ２４のＹＥＳ）、撮影処理として、撮影レンズ２を通った被写体像をＣＣＤ５により撮影画像として取り込み、ユニット回路７、画像処理部８により所定の処理を施した後、フラッシュメモリ１４に保存する（ステップＳ２８）。その後、ステップＳ１２に戻り、上述した処理を繰り返す。
【００２８】
図３には、本実施形態によるデジタルカメラ１において、ＬＶ値に応じて実行する色補正時のコントラスト調整カーブ（１２８基準）を示している。本実施形態では、屋内などのあまり明るすぎない環境から、屋外などの明るすぎる環境までの範囲において対応すべく、図３に示すように、色成分ＲＧＢのうち、色成分Ｇのコントラストを、ＬＶ値に応じて制御幅ＣＤの範囲で上下に制御する。
【００２９】
図４には、周囲が明るすぎない場合の色補正時のコントラスト調整カーブ（１２８基準）を示している。屋内などのあまり明るすぎない環境などの場合、すなわちＬＶ値が小さい場合には、図４に示すように、好ましい色再現性となるよう、通常のように色成分ＲＧＢのうち、色成分Ｇのコントラストを低下させる。但し、この場合、画像表示部１５全体の輝度は低下するが、色再現性は保たれる。
【００３０】
図５には、周囲が明るすぎる場合の色補正時に輝度を上げるためのコントラスト調整カーブ（１２８基準）を示している。屋外などの明るすぎる環境などの場合、すなわちＬＶ値が大きい場合には、図５に示すように、色成分Ｇのコントラストを上げる（等倍）ことで、色補正による輝度低下を抑制し（輝度を上げ）、視認性の低下を防止する。この場合、画像表示部１５全体の輝度が上がるので、視認性の低下を抑えることができる。但し、色再現性は低下する。
【００３１】
本実施形態では、図３に示す各色成分ＲＧＢのコントラストカーブを、周囲の明るさ（ＬＶ値）ごとにデータ化したテーブルを用意し、メモリ１３やフラッシュメモリ１４などに記憶しておく。ＣＰＵ１１は、必要に応じて（図２のステップＳ１６）、上記テーブルを参照し、そのときのＬＶ値に対応する各色成分ＲＧＢのコントラスト値を読み出し、該読み出した各色成分ＲＧＢのコントラスト値に従って色補正処理を実行すればよい。
【００３２】
あるいは、図３に示す各色成分ＲＧＢのコントラストカーブを表わす演算式を用意し、周囲の明るさ（ＬＶ値）ごとに演算することでそのときのＬＶ値に対応する各色成分ＲＧＢのコントラスト値を算出するようにしてもよい。
【００３３】
Ｃ．変形例
図６は、本実施形態による変形例によるデジタルカメラ１において、ＬＶ値が比較的高い場合の色補正時に輝度を上げるとともに、色再現性をより改善する場合での色補正時のコントラスト調整カーブ（１２８基準）を示す概念図である。上述した実施形態では、屋外などの比較的明るすぎる場所では（ＬＶ値が大）、輝度を上げることを優先するために、色成分Ｇのコントラストを（等倍まで）上げていたが、これにより、色再現性が低下することになる。
【００３４】
そこで、図６に示すように、屋外などの比較的明るすぎる場所では（ＬＶ値が大）、色成分ＲＧＢのうち、色成分Ｇのコントラストを（等倍まで）上げるとともに、色成分Ｇのコントラストを上げた程度に応じて、色成分Ｒ、Ｂのコントラストを上げる（図示では左側に移動させる）ようにしてもよい。これにより、色成分Ｇのコントラストを（等倍まで）上げることによる色かぶりが緩和される。
【００３５】
上述した実施形態によれば、周囲の明るさ（ＬＶ値）に応じて、屋内などの比較的明るすぎない場所では色再現性を優先し、屋外などの比較的明るすぎる場所では輝度を上げることを優先するように、画像表示部１５における色補正を行うことで、屋外などの比較的明るすぎる場所での視認性を向上させることができる。また、バックライトの輝度を上げていないので、余分な電力を消費することもない。
【００３６】
また、上述した実施形態によれば、周囲の明るさ（ＬＶ値）に応じて、色成分ＲＧＢのコントラストを調整するようにしたので、既存の色補正を調整するだけで輝度を上げることができ、簡易な構成で屋外などの比較的明るすぎる場所での視認性を向上させることができる。
【００３７】
上述した実施形態によれば、周囲の明るさ（ＬＶ値）に応じて、色成分ＲＧＢのうち、色再現性のためにコントラストが低下させられる色成分Ｇのコントラストを調整するようにしたので、容易な手法で輝度を上げることができ、屋外などの比較的明るすぎる場所での視認性を向上させることができる。
【００３８】
上述した実施形態によれば、周囲の明るさが明るければ明るいほど、色成分Ｇのコントラストを上げるようにしたので、容易な手法で輝度を上げることができ、屋外などの比較的明るすぎる場所での視認性を向上させることができる。
【００３９】
上述した実施形態によれば、色成分Ｇのコントラストを上げた程度に応じて、色成分ＲＢのコントラストを上げるようにしたので、輝度を上げることができるとともに、色成分Ｇのコントラストを上げることによる色かぶりを緩和することができる。
【００４０】
なお、上述した実施形態においては、撮影時に周囲の明るさに応じて、色再現性を無視して輝度を上げるようにしたが、すでに撮影した画像を再生する際には上述した輝度制御を行わないことが望ましい。再生時には、構図や画角などを確認するとともに、撮影された画像の色合い（色補正度合い）を重視することになる。このため、再生モードでは、敢えて、周囲の明るさに拘わらず、画像表示部１５の色再現性を優先した、図４に示すコントラスト調整カーブ（１２８基準）を用いればよい。
【００４１】
また、上述した実施形態では、液晶表示装置を備える電子機器として、デジタルカメラについて説明したが、これに限らず、携帯電話、スマートフォン、ＰＤＡ（Ｐｅｒｓｏｎａｌ  Ｄｉｇｉｔａｌ  Ａｓｉｓｔａｎｔｅ）、タブレット端末などであってもよい。
【００４２】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００４３】
（付記１）
付記１に記載の発明は、表示手段と、
周囲の明るさを検出する検出手段と、
前記検出手段によって検出された周囲の明るさに基づいて、前記表示手段における色補正を行う色補正手段と
を備えることを特徴とする電子機器である。
【００４４】
（付記２）
付記２に記載の発明は、前記色補正手段は、前記検出手段によって検出された周囲の明るさに基づいて、色成分ＲＧＢのコントラストを調整する
ことを特徴とする付記１に記載の電子機器である。
【００４５】
（付記３）
付記３に記載の発明は、前記色補正手段は、前記検出手段によって検出された周囲の明るさに基づいて、前記色成分ＲＧＢのうち、色再現性のためにコントラストが低下させられる色成分Ｇのコントラストを調整する
ことを特徴とする付記２に記載の電子機器である。
【００４６】
（付記４）
付記４に記載の発明は、前記色補正手段は、前記検出手段によって検出された周囲の明るさが明るければ明るいほど、前記色成分Ｇのコントラストを上げる
ことを特徴とする付記３に記載の電子機器である。
【００４７】
（付記５）
付記５に記載の発明は、前記色補正手段は、前記色成分Ｇのコントラストを上げた程度に応じて、前記色成分ＲＢのコントラストを上げる
ことを特徴とする付記４に記載の電子機器である。
【００４８】
（付記６）
付記６に記載の発明は、周囲の明るさを検出するステップと、
前記検出された周囲の明るさに基づいて、表示装置における色補正を行うステップと
を含むことを特徴とする色補正方法である。
【００４９】
（付記７）
付記７に記載の発明は、表示装置を備える電子機器のコンピュータに、
周囲の明るさを検出する検出機能、
前記検出機能によって検出された周囲の明るさに基づいて、前記表示装置における色補正を行う色補正機能
を実行させることを特徴とするプログラムである。
【符号の説明】
【００５０】
１  デジタルカメラ
２  撮影レンズ
３  レンズ駆動部
４  絞り
５  ＣＣＤ
６  ＴＧ
７  ユニット回路
８  画像処理部
１１  ＣＰＵ
１２  ＤＲＡＭ
１３  メモリ
１４  フラッシュメモリ
１５  画像表示部
１６  キー入力部
２２  カードＩ／Ｆ
２３  メモリ・カード
２４  明度センサ
【図１】
2014062937.tif 000003
【図２】
2014062937.tif 000004
【図３】
2014062937.tif 000005
【図４】
2014062937.tif 000006
【図５】
2014062937.tif 000007
【図６】
2014062937.tif 000008